(57)【要約】【課題】クロストーク量を一定としつつホログラム記録の多重度を増やすことが可能な情報記録装置および情報再生装置を提供する。【解決手段】ホログラム記録再生装置１００は、対物レンズ６の瞳面において信号光１２の周囲に参照光１３ａ，１３ｃを含む偶数の光束を設け、これら偶数本の参照光光束が信号光１２の光軸を中心に回転対称となるように配置することにより、ホログラム記録媒体７のブラッグヌル幅を一定としている。これにより、空間シフト多重時のシフトピッチを一定にして記録を行なうことができる。【選択図】図３
2007242145.tif 000002
【特許請求の範囲】
【請求項１】
ホログラム記録媒体に情報をシフト多重記録する情報記録装置であって、
光源から出射される光を信号光と複数の参照光とに分割するとともに、前記信号光および／または前記参照光の位置および領域サイズを制御する光束制御素子と、
前記信号光および前記参照光を前記ホログラム記録媒体の同一領域に導く集光光学系とを備え、
前記光束制御素子は、前記集光光学系の瞳面において前記信号光の周囲に偶数の参照光を設け、前記偶数の参照光が前記信号光の光軸を中心に回転対称となるように配置する、情報記録装置。
【請求項２】
前記光束制御素子は、シフト多重に用いられる第１の軸と前記第１の軸に直交する第２の軸とについて前記偶数の参照光が線対称とならないように配置する、請求項１に記載の情報記録装置。
【請求項３】
前記光束制御素子は、前記信号光の光軸が前記集光光学系の光軸とほぼ一致するように制御する、請求項１に記載の情報記録装置。
【請求項４】
前記光束制御素子は、前記信号光の光軸が前記第１の軸と前記第２の軸との交点を通過するように制御する、請求項２に記載の情報記録装置。
【請求項５】
前記ホログラム記録媒体は、回転ディスク型であって、
前記第１の軸が前記ホログラム記録媒体のタンジェンシャル方向に対応し、前記第２の軸が前記ホログラム記録媒体のラジアル方向に対応する、請求項２に記載の情報記録装置。
【請求項６】
前記ホログラム記録媒体は、長方形のカード型であって、
前記第１の軸が前記ホログラム記録媒体の一方辺の方向に対応し、前記第２の軸が前記ホログラム記録媒体の他方辺の方向に対応する、請求項２に記載の情報記録装置。
【請求項７】
ホログラム記録媒体に記録された情報を再生する情報再生装置であって、
光源から出射される光を信号光と複数の参照光とに分割するとともに、前記信号光および／または前記参照光の位置および領域サイズを制御する光束制御素子と、
前記信号光および前記参照光を前記ホログラム記録媒体の同一領域に導く集光光学系とを備え、
前記光束制御素子は、前記集光光学系の瞳面において前記信号光の周囲に偶数の参照光を設け、前記偶数の参照光が前記信号光の光軸を中心に回転対称となるように配置する、情報再生装置。
【請求項８】
前記光束制御素子は、シフト多重に用いられる第１の軸と前記第１の軸に直交する第２の軸とについて前記偶数の参照光が線対称とならないように配置する、請求項７に記載の情報再生装置。
【請求項９】
前記光束制御素子は、前記信号光の光軸が前記集光光学系の光軸とほぼ一致するように制御する、請求項７に記載の情報再生装置。
【請求項１０】
前記光束制御素子は、前記信号光の光軸が前記第１の軸と前記第２の軸との交点を通過するように制御する、請求項８に記載の情報再生装置。
【請求項１１】
前記ホログラム記録媒体は、回転ディスク型であって、
前記第１の軸が前記ホログラム記録媒体のタンジェンシャル方向に対応し、前記第２の軸が前記ホログラム記録媒体のラジアル方向に対応する、請求項８に記載の情報再生装置。
【請求項１２】
前記ホログラム記録媒体は、長方形のカード型であって、
前記第１の軸が前記ホログラム記録媒体の一方辺の方向に対応し、前記第２の軸が前記ホログラム記録媒体の他方辺の方向に対応する、請求項８に記載の情報再生装置。
【発明の詳細な説明】
【技術分野】
【０００１】
この発明は、情報記録装置および情報再生装置に関し、より特定的には、ホログラム記録媒体に対して情報を記録する情報記録装置および情報を再生する情報再生装置に関する。
【背景技術】
【０００２】
一般に、ホログラフィを利用して記録媒体に情報を記録するホログラム記録は、イメージ情報をもった信号光をホログラム記録媒体の内部で参照光と重ね合わせ、そのときにできる干渉縞をホログラム記録媒体に書き込むことにより行なわれる。記録された情報の再生時には、そのホログラム記録媒体に参照光を照射することで、干渉縞での回折によりイメージ情報が再生される。再生されたイメージ情報を画像処理することにより、再生信号が得られる。
【０００３】
ホログラム記録媒体中には３次元的に干渉縞が書き込まれ、多重記録を用いたホログラム記録媒体の記憶容量の増大が図られている。ホログラム記録の多重方式は、これまで角度多重、空間シフト多重、ぺリストロフィック多重など多くの方式が提案されており、またこれらの多重方式の組み合わせも提案されている。
【０００４】
空間シフト多重方式については、特許文献１に開示された技術が知られている。空間シフト多重方式では、対物レンズ瞳面の中央に信号光光束を配置し、その信号光を挟むように外縁に２本の参照光光束を配置する。これら３本の光束を対物レンズでホログラム記録媒体上に集光し、干渉させて干渉縞を書き込む。空間シフト多重方式では、参照光として球面波を用いる。このため、面内方向に収束点をシフトさせると、別の情報光干渉パターンが記録でき、多重記録を行なうことができる。
【０００５】
非特許文献１には、光ディスクに対して情報を記録および再生するホログラム記録再生装置の動作例が示されている。このホログラム記録再生装置では、書込みモードにおいて、イメージ情報がデジタルデータにエンコードされ、回転する光ディスクに１Ｇビット／秒のレートで書き込まれる。読出しモードでは、光ディスクに参照光を照射することにより、光ディスクに書き込まれていたイメージ情報が検出器上に再生される。
【特許文献１】特許第３４５２１１３号公報
【非特許文献１】アプリリス・ドライブ（Aprilis Drive）、米国アプリリス社、インターネット＜ＵＲＬ：http://www.aprilisinc.com/aprilis_drive.htm＞
【発明の開示】
【発明が解決しようとする課題】
【０００６】
非特許文献１のホログラム記録再生装置は、ホログラム記録媒体中で参照光と信号光とが重なりあうホログラム記録領域が信号光の光軸を中心として軸対称であるため、空間シフト多重時のクロストーク量が一定となる。しかし、当該ホログラム記録再生装置では、参照光の位置および角度が固定であるため、ホログラム記録の多重度を増やすことができないという課題があった。
【０００７】
それゆえに、この発明の目的は、クロストーク量を一定としつつホログラム記録の多重度を増やすことが可能な情報記録装置および情報再生装置を提供することである。
【課題を解決するための手段】
【０００８】
この発明は、ホログラム記録媒体に情報をシフト多重記録する情報記録装置およびホログラム記録媒体に記録された情報を再生する情報再生装置であって、光源から出射される光を信号光と複数の参照光とに分割するとともに、信号光および／または参照光の位置および領域サイズを制御する光束制御素子と、信号光および参照光をホログラム記録媒体の同一領域に導く集光光学系とを備える。光束制御素子は、集光光学系の瞳面において信号光の周囲に偶数の参照光を設け、偶数の参照光が信号光の光軸を中心に回転対称となるように配置する。
【０００９】
好ましくは、光束制御素子は、シフト多重に用いられる第１の軸と第１の軸に直交する第２の軸とについて偶数の参照光が線対称とならないように配置する。
【００１０】
好ましくは、光束制御素子は、信号光の光軸が集光光学系の光軸とほぼ一致するように制御する。
【００１１】
好ましくは、光束制御素子は、信号光の光軸が第１の軸と第２の軸との交点を通過するように制御する。
【００１２】
好ましくは、ホログラム記録媒体は、回転ディスク型であって、第１の軸がホログラム記録媒体のタンジェンシャル方向に対応し、第２の軸がホログラム記録媒体のラジアル方向に対応する。
【００１３】
好ましくは、ホログラム記録媒体は、長方形のカード型であって、第１の軸がホログラム記録媒体の一方辺の方向に対応し、第２の軸がホログラム記録媒体の他方辺の方向に対応する。
【発明の効果】
【００１４】
この発明によれば、クロストーク量を一定としつつ、ホログラム記録の多重度を増やすことができる。
【発明を実施するための最良の形態】
【００１５】
以下、この発明の実施の形態について図面を参照して詳しく説明する。なお、図中同一または相当部分には同一符号を付してその説明は繰り返さない。
【００１６】
図１は、この発明の実施の形態を説明する背景としてのホログラム記録再生装置１０００の概略的な構成を示した断面図である。ここで、ホログラム記録再生装置とは、ホログラム記録装置（情報記録装置）とホログラム再生装置（情報再生装置）との機能を兼ね備えた装置であるが、ホログラム記録装置とホログラム再生装置とを別々に構成することももちろん可能である。すなわち、ホログラム記録再生装置１０００をホログラム記録装置１０００Ａおよびホログラム再生装置１０００Ｂと置き換えてもよい。これは、後述の実施の形態１についても同じである。
【００１７】
図１を参照して、ホログラム記録再生装置１０００は、レーザ５１と、コリメートレンズ５２と、空間光振幅変調器５３と、偏光ビームスプリッタ５４と、１／４波長板５５と、対物レンズ５６と、撮像素子５８とを備える。ホログラム記録再生装置１０００は、反射膜５９を有するホログラム記録媒体５７に情報を記録するとともに、ホログラム記録媒体５７から情報を再生する。ホログラム記録再生装置１０００は、空間シフト多重方式とぺリストロフィック多重方式との組合せにより情報を記録再生する。
【００１８】
ホログラム記録再生装置１０００の記録時の動作について説明する。レーザ５１から出射されたレーザ光６１は、コリメートレンズ５２によって平行光に変換され、空間光振幅変調器５３に導かれる。空間光振幅変調器５３は、入射したレーザ光６１を信号光６２と参照光６３とに分割し、それぞれの領域内で必要に応じて振幅変調する。その後、信号光６２および参照光６３は、経路６４をたどって、対物レンズ５６によりホログラム記録媒体５７内に集光される。集光された信号光６２および参照光６３は、ホログラム記録媒体５７内で干渉し、その干渉縞がホログラム記録媒体５７に記録される。
【００１９】
ホログラム記録再生装置１０００の再生時の動作について説明する。再生時には、空間光振幅変調器５３は、入射したレーザ光６１から参照光６３のみを生成する。生成された参照光６３は、対物レンズ５６によってホログラム記録媒体５７内のホログラムに集光される。集光された参照光６３は、ホログラム記録媒体５７内に記録されたホログラムの干渉縞で回折され、記録された情報に従った再生光６６を生成する。再生光６６は、経路６５をたどって、撮像素子５８に導かれる。撮像素子５８は、再生光６６の強度分布パターンを検出する。この検出像からホログラム記録媒体５７の再生信号が生成される。
【００２０】
上記のように、図１のホログラム記録再生装置１０００は、空間シフト多重に加えて、参照光６３の位置を対物レンズ５６の外縁に沿って変化させることでぺリストロフィック多重を実現し、記録密度を高めている。
【００２１】
ホログラム記録再生装置１０００は、１つの参照光６３を用いて、信号光６２とホログラム記録媒体５７内で干渉させて記録を行なっている。そのため、図１に示すように、ホログラム記録再生装置１０００では、ホログラム記録媒体５７中で情報光６２と参照光６３とが重なり合うホログラム記録領域が非対称となる。
【００２２】
図２は、ホログラム記録媒体５７をＸ方向に移動させたときの回折効率の変化を示した図である。図２では、再生時に参照光６３のみをホログラム記録媒体５７に照射したままホログラム記録媒体５７をＸ方向（図１参照）に移動させたときの参照光６３の回折効率の変化を示している。
【００２３】
図２に示すように、ホログラム記録再生装置１０００では、＋Ｘ方向にホログラム記録媒体５７を移動させたときと、−Ｘ方向にホログラム記録媒体５７を移動させたときとで、回折効率の変化の仕方が異なる。具体的には、回折効率が最大となる位置から０となる位置（以降、ブラッグヌル点と呼ぶ）までの間隔（以降、ブラッグヌル幅と呼ぶ）は、＋＋Ｘ方向と−Ｘ方向とで非対称となる。
【００２４】
ホログラム記録再生装置１０００のように空間シフト多重方式を用いる場合、通常、ブラッグヌル点に隣接する位置にホログラムを書き込む。そのため、ブラッグヌル幅が一定でない場合、空間シフト多重のときのクロストーク量が増大する。以下では、本発明の目的を達成するとともに、上記の問題点を解決することが可能なホログラム記録再生装置の構成および動作について詳述する。
【００２５】
［実施の形態１］
図３は、この発明の実施の形態１によるホログラム記録再生装置１００の概略的な構成を示した断面図である。図３を参照して、ホログラム記録再生装置１００は、レーザ１と、コリメートレンズ２と、空間光振幅変調器３と、偏光ビームスプリッタ４と、１／４波長板５と、対物レンズ６と、撮像素子８とを備える。ホログラム記録再生装置１００は、反射膜９を有するホログラム記録媒体７に情報を記録するとともに、ホログラム記録媒体７から情報を再生する。ホログラム記録媒体７は、たとえば回転光ディスク型またはカード型である。
【００２６】
ホログラム記録再生装置１００の記録時の動作について説明する。レーザ１から出射されたレーザ光１１は、コリメートレンズ２によって平行光に変換され、空間光振幅変調器３に導かれる。空間光振幅変調器３は、入射したレーザ光１１を信号光１２と４光束の参照光１３ａ〜１３ｄ（１３ｂ，１３ｄは図３では図示せず）とに分割し、それぞれの領域内で必要に応じて振幅変調する。信号光１２の振幅変調パターンは、ホログラム記録媒体７に記録されるデータに基づいて生成される。参照光１３ａ〜１３ｄは、強度分布が一様の光であってもよいし、振幅変調を受けた光であってもよい。空間光振幅変調器３は、光束制御素子の一例であり、可動マスクまたは光シャッターであってもよい。
【００２７】
図４は、記録時における対物レンズ６上の信号光１２および参照光１３ａ〜１３ｄの配置の一例を示した図である。ホログラム記録再生装置１００は、Ｘ方向およびＹ方向（図３参照）にホログラム記録媒体７をシフトさせて空間シフト多重を行なうとき、信号光１２および参照光１３ａ〜１３ｄの各光束の位置を、対物レンズ６の瞳面において図４に示すように配置することができる。
【００２８】
図４を参照して、記録時における参照光１３ａ〜１３ｄの各光束は、たとえば、対物レンズ６の光軸中心で回転対称となるように配置され、かつＸ軸およびＹ軸について線対称とならないように配置される。
【００２９】
図３に戻って、信号光１２および参照光１３ａ〜１３ｄは、経路１４をたどって、偏光ビームスプリッタ４を透過し、１／４波長板５により円偏光に変換される。円偏光に変換された信号光１２および参照光１３ａ〜１３ｄは、対物レンズ６によりホログラム記録媒体７内に集光される。集光された信号光１２および参照光１３ａ〜１３ｄは、ホログラム記録媒体７内で干渉し、その干渉縞がホログラム記録媒体７に記録される。ホログラム記録媒体７は、信号光１２および参照光１３ａ〜１３ｄが入射する面と反対側の面に反射膜９を有する。
【００３０】
ホログラム記録再生装置１００の再生時の動作について説明する。再生時には、空間光振幅変調器３は、入射したレーザ光１１から参照光１３ａ〜１３ｄのみを生成し信号光１２は生成しない。生成された直線偏光の参照光１３ａ〜１３ｄは、偏光ビームスプリッタ４を透過し、１／４波長板５によって円偏光に変換される。円偏光に変換された参照光１３ａ〜１３ｄは、対物レンズ５６によってホログラム記録媒体７内の記録されたホログラムに集光される。
【００３１】
集光された参照光１３ａ〜１３ｄは、ホログラム記録媒体７内に記録されたホログラムの干渉縞で回折され、記録された情報に従った再生光１６を生成する。再生光１６は、対物レンズ６を透過し、経路１５をたどって、１／４波長板５によって円偏光から直線偏光へ変換される。直線偏光に変換された再生光１６は、偏光ビームスプリッタ４により反射されて、撮像素子８に導かれる。撮像素子８は、再生光１６の強度分布パターンを検出する。この検出像からホログラム記録媒体７の再生信号が生成される。
【００３２】
図５は、ホログラム記録媒体７をＸ方向に移動させたときの回折効率の変化を示した図である。図５では、再生時に参照光１３のみをホログラム記録媒体７に照射したままホログラム記録媒体７をＸ方向（図３参照）に移動させたときの参照光１３の回折効率の変化を示している。
【００３３】
図５に示すように、実施の形態１のホログラム記録再生装置１００は、ホログラム記録媒体７内での干渉領域が信号光１２の光軸を中心にほぼ線対称となる。このため、ホログラム記録再生装置１００は、＋Ｘ方向にホログラム記録媒体７を移動させたときのブラッグヌル幅Ｘ０−Ｘ１と、−Ｘ方向にホログラム記録媒体７を移動させたときのブラッグヌル幅Ｘ０−Ｘ２とが等しくなる。
【００３４】
ホログラム記録再生装置１００では、クロストーク低減のために、ブラッグヌル点に隣接する位置にホログラムを書き込むことが望ましい。ブラッグヌル幅を一定にすることにより、ホログラム記録媒体７の全領域にわたってクロストークを低減できる。Ｙ方向にホログラム記録媒体７をシフトさせたときも、Ｘ方向の場合と同様にしてＹ方向のブラッグヌル幅を一定にできる。これにより、クロストークを低減できる。
【００３５】
図６は、記録時における対物レンズ６上の信号光１２および参照光１３ａ〜１３ｄの配置の他の一例を示した図である。ホログラム記録再生装置１００は、Ｘ方向およびＹ方向（図３参照）にホログラム記録媒体７をシフトさせて空間シフト多重を行なうとき、信号光１２および参照光１３ａ〜１３ｄの各光束の位置を、対物レンズ６の瞳面において図６に示すように配置することができる。
【００３６】
図６を参照して、記録時における参照光１３ａ〜１３ｄの各光束は、図４と異なる位置で、対物レンズ６の光軸中心で回転対称となるように配置され、かつＸ軸およびＹ軸について線対称とならないように配置される。このように、参照光１３ａ〜１３ｄの光束の位置を図４から図６に変化させても、ブラッグヌル幅は変化しない。
【００３７】
したがって、実施の形態１のホログラム記録再生装置１００は、空間シフト多重に加えて、参照光１３ａ〜１３ｄの光束の配置を変えることによる多重記録が可能である。このように、多重度を増やすことで、空間シフト多重だけの時よりも記録密度を高めることが可能である。
【００３８】
なお、実施の形態１のホログラム記録再生装置１００では、ホログラム記録媒体７の形状は特に限定されない。たとえば、ホログラム記録媒体７が回転ディスク型の場合、Ｘ方向をタンジェンシャル方向に、Ｙ方向をラジアル方向にすることで、効率的に情報の記録再生を行なうことができる。また、たとえば、ホログラム記録媒体７がカード型の場合、カードの各辺に平行な方向をＸ方向、Ｙ方向とすることで、効率的に情報の記録再生を行なうことができる。
【００３９】
以上のように、実施の形態１のホログラム記録再生装置は、対物レンズ瞳面において信号光の周囲に偶数本の参照光光束を設け、偶数本の参照光光束が信号光の光軸を中心に回転対称となるように配置することにより、ホログラム記録媒体のブラッグヌル幅を一定としている。これにより、空間シフト多重時のシフトピッチを一定にして記録を行なうことができる。
【００４０】
ホログラム記録媒体が回転ディスク型の場合、ラジアル方向およびタンジェンシャル方向のブラッグヌル幅を一定とする。これにより、ラジアル方向およびタンジェンシャル方向のいずれにおいても、空間シフト多重時のシフトピッチを一定にして記録を行なうことができる。
【００４１】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００４２】
【図１】この発明の実施の形態を説明する背景としてのホログラム記録再生装置１０００の概略的な構成を示した断面図である。
【図２】ホログラム記録媒体５７をＸ方向に移動させたときの回折効率の変化を示した図である。
【図３】この発明の実施の形態１によるホログラム記録再生装置１００の概略的な構成を示した断面図である。
【図４】記録時における対物レンズ６上の信号光１２および参照光１３ａ〜１３ｄの配置の一例を示した図である。
【図５】ホログラム記録媒体７をＸ方向に移動させたときの回折効率の変化を示した図である。
【図６】記録時における対物レンズ６上の信号光１２および参照光１３ａ〜１３ｄの配置の他の一例を示した図である。
【符号の説明】
【００４３】
１，５１  レーザ、２，５２  コリメートレンズ、３，５３  空間光振幅変調器、４，５４  偏光ビームスプリッタ、５，５５  １／４波長板、６，５６  対物レンズ、７，５７  ホログラム記録媒体、８，５８  撮像素子、９，５９  反射膜、１１，６１  レーザ光、１２，６２  信号光、１３，１３ａ〜１３ｄ，６３  参照光、１６，６６  再生光、１００，１０００  ホログラム記録再生装置。
【図１】
2007242145.tif 000003
【図２】
2007242145.tif 000004
【図３】
2007242145.tif 000005
【図４】
2007242145.tif 000006
【図５】
2007242145.tif 000007
【図６】
2007242145.tif 000008
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
ホログラム記録媒体に情報をシフト多重記録する情報記録装置であって、
光源から出射される光ビームを信号光と複数の参照光とに分割するとともに、前記信号光および／または前記参照光の位置および領域サイズを制御する光束制御素子と、
前記信号光および前記参照光を前記ホログラム記録媒体の同一領域に導く集光光学系とを備え、
前記光束制御素子は、前記集光光学系の瞳面において前記信号光の周囲に前記複数の参照光を設け、前記複数の参照光が前記信号光の光軸を中心に回転対称となるように配置する、情報記録装置。
【請求項２】
前記光束制御素子は、シフト多重に用いられる第１の軸と前記第１の軸に直交する第２の軸とについて前記複数の参照光が線対称とならないように配置する、請求項１に記載の情報記録装置。
【請求項３】
前記光束制御素子は、前記信号光の光軸が前記集光光学系の光軸とほぼ一致するように制御する、請求項１に記載の情報記録装置。
【請求項４】
前記光束制御素子は、前記信号光の光軸が前記第１の軸と前記第２の軸との交点を通過するように制御する、請求項２に記載の情報記録装置。
【請求項５】
前記ホログラム記録媒体は、回転ディスク型であって、
前記第１の軸が前記ホログラム記録媒体のタンジェンシャル方向に対応し、前記第２の軸が前記ホログラム記録媒体のラジアル方向に対応する、請求項２に記載の情報記録装置。
【請求項６】
前記ホログラム記録媒体は、長方形のカード型であって、
前記第１の軸が前記ホログラム記録媒体の一方辺の方向に対応し、前記第２の軸が前記ホログラム記録媒体の他方辺の方向に対応する、請求項２に記載の情報記録装置。
【請求項７】
ホログラム記録媒体に記録された情報を再生する情報再生装置であって、
光源から出射される光ビームから複数の参照光を生成するとともに、前記参照光の位置および領域サイズを制御する光束制御素子と、
前記参照光を前記ホログラム記録媒体に導く集光光学系とを備え、
前記光束制御素子は、前記集光光学系の瞳面において前記集光光学系の光軸の周囲に前記複数の参照光を設け、前記複数の参照光が前記集光光学系の光軸を中心に回転対称となるように配置する、情報再生装置。
【請求項８】
前記光束制御素子は、シフト多重に用いられる第１の軸と前記第１の軸に直交する第２の軸とについて前記複数の参照光が線対称とならないように配置する、請求項７に記載の情報再生装置。
【請求項９】
前記ホログラム記録媒体は、回転ディスク型であって、
前記第１の軸が前記ホログラム記録媒体のタンジェンシャル方向に対応し、前記第２の軸が前記ホログラム記録媒体のラジアル方向に対応する、請求項８に記載の情報再生装置。
【請求項１０】
前記ホログラム記録媒体は、長方形のカード型であって、
前記第１の軸が前記ホログラム記録媒体の一方辺の方向に対応し、前記第２の軸が前記ホログラム記録媒体の他方辺の方向に対応する、請求項８に記載の情報再生装置。
【手続補正２】
【補正対象書類名】明細書
【補正対象項目名】０００８
【補正方法】変更
【補正の内容】
【０００８】
この発明は、ホログラム記録媒体に情報をシフト多重記録する情報記録装置であって、光源から出射される光ビームを信号光と複数の参照光とに分割するとともに、信号光および／または参照光の位置および領域サイズを制御する光束制御素子と、信号光および参照光をホログラム記録媒体の同一領域に導く集光光学系とを備える。光束制御素子は、集光光学系の瞳面において信号光の周囲に複数の参照光を設け、複数の参照光が信号光の光軸を中心に回転対称となるように配置する。
【手続補正３】
【補正対象書類名】明細書
【補正対象項目名】０００９
【補正方法】変更
【補正の内容】
【０００９】
好ましくは、光束制御素子は、シフト多重に用いられる第１の軸と第１の軸に直交する第２の軸とについて複数の参照光が線対称とならないように配置する。
【手続補正４】
【補正対象書類名】明細書
【補正対象項目名】００１３
【補正方法】変更
【補正の内容】
【００１３】
好ましくは、ホログラム記録媒体は、長方形のカード型であって、第１の軸がホログラム記録媒体の一方辺の方向に対応し、第２の軸がホログラム記録媒体の他方辺の方向に対応する。
この発明の他の局面によれば、ホログラム記録媒体に記録された情報を再生する情報再生装置であって、光源から出射される光ビームから複数の参照光を生成するとともに、参照光の位置および領域サイズを制御する光束制御素子と、参照光をホログラム記録媒体に導く集光光学系とを備える。光束制御素子は、集光光学系の瞳面において集光光学系の光軸の周囲に複数の参照光を設け、複数の参照光が集光光学系の光軸を中心に回転対称となるように配置する。
好ましくは、光束制御素子は、シフト多重に用いられる第１の軸と第１の軸に直交する第２の軸とについて複数の参照光が線対称とならないように配置する。
好ましくは、ホログラム記録媒体は、回転ディスク型であって、第１の軸がホログラム記録媒体のタンジェンシャル方向に対応し、第２の軸がホログラム記録媒体のラジアル方向に対応する。
好ましくは、ホログラム記録媒体は、長方形のカード型であって、第１の軸がホログラム記録媒体の一方辺の方向に対応し、第２の軸がホログラム記録媒体の他方辺の方向に対応する。